(57)【要約】      （修正有）【課題】ベビーベッドや物品飾り棚等に利用できるコンパクトな載置筺付き収納ワゴンを提供する。【解決手段】引き出し若しくは扉などを有する箱状の収納ボックス２の上部に上部が開放された箱状の載置筺３を設け、載置筺の前扉１５を垂直姿勢の起立位置と水平姿勢の倒伏位置とに姿勢位置切り替え自在に構成し、倒伏位置の前扉を下方から支える引き出しテーブル１０を水平方向に挿板自在に設けて載置筺付き収納ワゴンを構成する。【選択図】図１
0003162541.tif 000002
【実用新案登録請求の範囲】
【請求項１】
下部に箱状の引き出し若しくは扉、或いは引き出し収納可能な椅子などを有する箱状の収納ボックスの上部に上部が開放された箱状の載置筺を設け、該載置筺の前扉を載置筺の前部を遮蔽する垂直姿勢の起立位置と載置筺の前部を開放する水平姿勢の倒伏位置とに姿勢位置切り替え自在に構成し、倒伏位置の前扉を下方から支える板状の引き出しテーブルを前記載置筺の下方から水平方向に出没自在に設けたことを特徴とする載置筺付き収納ワゴン。
【請求項２】
箱状の載置筺は、両側面と後面は不透視の壁面とし、前扉のみ透視できる格子枠若しくは孔明き枠としたことを特徴とする請求項１に記載の載置筺付き収納ワゴン。
【請求項３】
前扉は、前扉内側の両側に閉止方向の一方向の動きのみを許容するロック機構を設けてあることを特徴とする請求項１に記載の載置筺付き収納ワゴン。
【請求項４】
板状の引き出しテーブルは、載置筺の前扉を載置筺の前部を遮蔽する垂直姿勢の起立位置にした状態で単独的に水平方向に出没自在に構成され、引き出した状態で作業台として利用できることを特徴とする請求項１に記載の載置筺付き収納ワゴン。
【請求項５】
箱状の収納ボックスの上部を机の天板に構成して、該机天板の上部に箱状の載置筺の前扉付き底板を着脱自在に装着し、天板部の下方に引き出しテーブルを水平方向に出没自在に設けて、前扉付き底板を取り外した時には机に構成できることを特徴とする請求項１に記載の載置筺付き収納ワゴン。
【考案の詳細な説明】
【技術分野】
【０００１】  本考案は、天板上部に載置筺を設けてなるベビーベッドや机、物品飾り棚、物置きなどに利用できる家具分野の収納ワゴンに関するものである。
【背景技術】
【０００２】  従来は、例えばベビーベッドの場合はベッド部が専用的に設けられたり、あるいは特許文献１に示される「ラック兼用ベビーベッド」、特許文献２に示される「親子ベッド」のようにベッド部の下部に収納部が設けられているものも見られるが、未だ使い勝手が良くないものであり改善が望まれていた。
【先行技術文献】
【特許文献】
【０００３】
【特許文献１】特開平７−３０８２４５号公報
【特許文献２】特許第３９９４０３６号公報
【考案の概要】
【考案が解決しようとする課題】
【０００４】本考案は、上記背景技術に説明される課題を解決しようとするものであり、コンパクトで使い勝手の良い載置筺付き収納ワゴンを提供しようとするものである。
【課題を解決するための手段】
【０００５】  本考案は第一に、下部に箱状の引き出し若しくは扉、或いは引き出し収納可能な椅子などを有する箱状の収納ボックスの上部に上部が開放された箱状の載置筺を設け、該載置筺の前扉を載置筺の前部を遮蔽する垂直姿勢の起立位置と載置筺の前部を開放する水平姿勢の倒伏位置とに姿勢位置切り替え自在に構成し、倒伏位置の前扉を下方から支える板状の引き出しテーブルを前記載置筺の下方から水平方向に出没自在に設けたことを特徴とするもので、箱状の載置筺に乳児を安心して寝かすことができると共に前扉を倒伏位置に開放して乳児の下着やおしめの交換などを効率的に遂行できる。その際には倒伏位置の前扉を引き出した状態の引き出しテーブルで支えているので安心である。そして、下部に引き出しボックス若しくは扉、或いは引き出し収納可能な椅子などを有する箱状の収納ボックスを備えているのでそれぞれの用途に応じて便利に使用することができる。【０００６】  第二に、箱状の載置筺は、両側面と後面は不透視の壁面とし、前扉のみ透視できる格子枠若しくは孔明き枠としたことを特徴とするもので、壁の三面は遮蔽されて前部のみ透視状態に開放されているので乳児の安眠を誘導しやすい状態であり、前部の透視部で親子のふれあいを感じることができる安心感が期待できる。【０００７】  第三に、前扉は、前扉内側の両側に閉止方向の一方向の動きのみを許容するロック機構を設けてあることを特徴とするもので、前扉を倒伏位置から垂直位置に閉止するときには前扉がパチンとロック機構でロックされ、垂直位置から倒伏位置へ開放するときには両側のロック機構をそれぞれ意識的にロック解除操作する必要があるので、前扉が不測に開放する恐れがないので安心である。【０００８】  第四に、板状の引き出しテーブルは、載置筺の前扉を載置筺の前部を遮蔽する垂直姿勢の起立位置にした状態で単独的に水平方向に出没自在に構成され、引き出した状態で作業台として利用できることを特徴とするもので、箱状の載置筺に乳児を寝かした状態で、その目の前で引き出しテーブルを引き出して、作業台として読書をしたり、書き物をしたり、編み物、裁縫をしたりすることができる。【０００９】  第五に、箱状の収納ボックスの上部を机の天板に構成して、該机天板の上部に箱状の載置筺の前扉付き底板を着脱自在に装着し、天板部の下方に引き出しテーブルを水平方向に出没自在に設けて、前扉付き底板を取り外した時には机に構成できることを特徴とするもので、机天板の左右側部壁板、背面部壁板を残した形態で机に変換構成できるので落ち着いての各種作業が遂行できる。
【考案の効果】
【００１０】本考案は上記の構成より以下に記載する効果を奏する。
１）下部に収納ボックスを備え、上部に前扉が開放する箱状の載置筺を備えているので、載置筺に乳児を安心して寝かすことができると共に前扉を倒伏位置に開放して乳児の下着やおしめの交換などを効率的に遂行できる。その際には倒伏位置の前扉を引き出した状態の引き出しテーブルで支えているので安心である。そして、下部に箱状の引き出し若しくは扉、或いは引き出し収納可能な椅子などを有する箱状の収納ボックスを備えているのでそれぞれの用途に応じて便利に使用することができる。
２）載置筺の壁の三面は遮蔽されて前部のみ透視状態に開放されているので乳児の安眠を誘導しやすい状態であり、前部の透視部で親子のふれあいを感じることができる安心感が期待できる。
３）前扉の両側にロック機構を設けることにより、前扉を倒伏位置から垂直位置に閉止するときには前扉がパチンとロック機構でロックされ、垂直位置から倒伏位置へ開放するときには両側のロック機構をそれぞれ意識的にロック解除操作する必要があるので、前扉が不測に開放する恐れがないので安心である。
４）引き出しテーブルを単独操作できるので、箱状の載置筺に乳児を寝かした状態で、その目の前で引き出しテーブルを引き出して、作業台として読書をしたり、書き物をしたり、編み物、裁縫をしたりすることができる。
５）載置筺の底板と前扉を着脱できるので、机天板の左右側部壁板、背面部壁板を残した形態で机に変換構成できるので落ち着いての各種作業が遂行できる。
【図面の簡単な説明】
【００１１】
【図１】本考案に係る載置筺付き収納ワゴンの第１実施形態の正面図である。
【図２】同上収納ワゴンの側面図である。
【図３】同上収納ワゴンの背面図である。
【図４】同上収納ワゴンの上部載置筺の前扉と下部収納ボックスの蓋部を外し引き出しを抜いた状態の分解正面図である。
【図５】同上収納ワゴンのスライドテーブルを引き出して載置筺の前扉を開放して水平姿勢の倒伏位置にした状態の作用側面図である。
【図６】同上収納ワゴンの前扉と壁板との間に設けたロック機構の平面図である。
【図７】同上収納ワゴンのスライドテーブルを収納し、載置筺の前扉を垂直姿勢の起立位置にした状態の要部の拡大作用側面図である。
【図８】同上収納ワゴンのスライドテーブルを引き出して載置筺の前扉を開放して水平姿勢の倒伏位置にした状態の要部の拡大作用側面図である。
【図９】下部収納ボックス内部のレイアウトを変更し蓋部を片開きにした本考案の第２実施形態を示す載置筺付き収納ワゴンの正面図である。
【図１０】第２実施形態の収納ワゴンの上部載置筺の前扉と下部収納ボックスの蓋部を外し引き出しを抜いた状態の分解正面図である。
【図１１】下部収納ボックスの蓋部を廃止して、椅子を入れるようにした第３実施形態の椅子を示す正面図と側面図である。
【図１２】下部収納ボックスの天板部の上に載置筺の底板部を重合させた第３実施形態の収納ワゴンのスライドテーブルを収納し、載置筺の前扉を起立した状態の要部の拡大作用側面図である。
【図１３】図１２の収納ワゴンのスライドテーブルを引き出して載置筺の前扉を開放した状態の要部の拡大作用側面図である。
【図１４】下部収納ボックス内部のレイアウトを変更し、上方に引き出しを下方に蓋部を左右に設けて片開きにした本考案の第４実施形態を示す載置筺付き収納ワゴンの正面図である。
【図１５】図１４のものを正面上方斜めから鳥瞰した平面鳥瞰図である。
【図１６】図１４のものの使用状態を示す作用説明斜視図である。
【考案を実施するための形態】
【００１２】本考案の実施態様を図面に基づいて説明する。図１〜図８のものは本考案の第１実施形態のものを示し、符号１は載置筺付き収納ワゴンの本体を示し、下部に箱状の収納ボックス２を設け、上部に箱状の載置筺３を設けてあり、キャスター４で場所移動を可能に構成されている。収納ボックス２の左右および背面には下方から載置筺３の上方に至る左右の側部壁板部材５、６と背面壁板部材７が設けられており、収納ボックス２の上部に仕切天板８とその上部に間隙を置いて載置筺３の底板９が設けてあり、該仕切天板８と底板９の間に板状の引き出しテーブル（スライド棚）１０が左右レール（図示しない）にガイドされて水平方向に出没自在に設けてある。
【００１３】  前記収納ボックス２の左側に開閉扉１１で覆われ内部に上下の棚位置が可動変更できる可動棚１２を有する物品収納部１３が設けられ、右側には上下多段に箱状の引出し１４、１４、１４が引き出し収納可能に構成されている。前記載置筺３の左右の側部壁板部材５、６と背面壁板部材７で囲まれる前面に前扉１５が設けてあり、該前扉１５の下部が載置筺３の底板９の前部に蝶番１６で回動自在に枢支されており、これにより前扉１５は載置筺３の前部を遮蔽する垂直姿勢の起立位置１５ｘと載置筺３の前部を開放する水平姿勢の倒伏位置１５ｙとに姿勢位置切り替え自在に構成されている。そして、前扉１５を倒伏位置１５ｙにする前に前記板状の引き出しテーブル１０を移動範囲最大に引き出しておくことにより、倒伏位置１５ｙにした前扉１５を板状の引き出しテーブル１０で下方から支えることができる。該板状の引き出しテーブル１０は、載置筺３の前扉１５を載置筺３の前部を遮蔽する垂直姿勢の起立位置１５ｘにした状態で単独的に水平方向に出没自在に構成されるので、引き出した状態で机や作業台として利用できるものである。
【００１４】  箱状の載置筺３は、左右の側部壁板部材５、６と背面壁板部材７は不透視の壁面とされ、前扉１５は透視できる格子枠１５ａ若しくは孔明き枠１５ｂとされている。
前扉１５は、前扉１５内側の両側に閉止方向の一方向の動きのみを許容するロック機構Ｒを設けてあることを特徴とするものである。図６に示すように前扉１５の右側端部内側に復帰回動自在に弾性支持されたロック機構Ｒのフック爪ＲＴが設けてあり、右側部壁板６の内側にロック機構Ｒのフック掛け部ＲＫが固定されている。そして、前扉１５の左側端部内側にも対称にしてフック爪ＲＴが設けてあり、左側部壁板５の内側にフック掛け部ＲＫが固定されている（図示省略）。これにより前扉１５を倒伏位置１５ｙから垂直位置１５ｘに閉止するときには、図６（イ）の状態から図６（ロ）の状態になり、ロック機構Ｒのフック爪ＲＴがフック掛け部ＲＫに弾性的に係合して前扉１５がパチンとロック機構Ｒでロックされるので操作性が簡単になり安心である。
ロック機構Ｒのフック爪ＲＴとフック掛け部ＲＫの係合を外すときには、左右の手でフック爪ＲＴを解除操作することにより前扉１５を開放させることができる。
【００１５】  図９に示すものは、下部収納ボックス内部のレイアウトを変更し蓋部を片開きにした本考案の第２実施形態を示す載置筺付き収納ワゴンであり、基本的には第１実施形態のものと同様で、顧客の要望に応じて下部収納ボックスのレイアウトは種々に変更可能であることを例示するものである。
【００１６】  図１０に示すものは、下部収納ボックスの天板部の上に載置筺の底板部を重合させた第３実施形態の収納ワゴンを例示するものであり、さらに、下部収納ボックスの蓋部を廃止して、図１１に示すような木製の椅子Ｓを入れるようにしたもので、椅子の背板部ＳＳが、椅子を下部収納ボックスに収納した時には装飾の蓋代わりになるものである。この場合には、椅子Ｓがコンパクトに収納できて、椅子の使用時にはすぐに取り出して使える利点がある。
【００１７】  図１２、図１３は、上記第３実施形態の収納ワゴンの詳細を例示するものである。すなわち、箱状の収納ボックス２の最上部を平坦状に形成することで机の天板Ｔに構成して、該机天板Ｔの上部に箱状の載置筺３の前扉１５付き底板９を着脱自在に装着し、天板部Ｔの下方に引き出しテーブル１０を水平方向に出没自在に設けて、前扉１５付き底板９を取り外した時には机に構成できることを特徴とするもので、机天板の左右側部壁板、背面部壁板を残した形態で机に変換構成できるので落ち着いての各種作業が遂行できるものである。
【００１８】  図１４、図１５、図１６に示すものは、下部収納ボックス内部のレイアウトを変更し、上方の左側に大きな引き出しを一段に設け、右側に小さな引き出しを上下二段に設けてなり、下方に可動棚を配した収納部を蓋部で覆い、該蓋部を左右に設けて左右両側に向けて片開きで全面開放できるようにした本考案の第４実施形態を示す載置筺付き収納ワゴンを例示するものである。このように構成されたものは上部の載置筺３の前扉１５を閉じて乳幼児を寝かすことができ、また図１６に示すように引き出しテーブル１０を水平方向に引き出して、前扉１５を開放して倒すことにより載置筺３に寝かした乳幼児と椅子に座った母親が接近した状態で乳幼児をあやすことができるなどの利点がある。なお、右側部壁板にハンガーを設けておくと、タオル掛けや小物入れ止めなどに利用できて便利である。
【実施例】
【００１９】  上記実施態様に示すものの構成・使い方を説明する。本考案のものは、下部に箱状の引き出し１４若しくは扉１１、或いは引き出し収納可能な椅子Ｓなどを有する箱状の収納ボックス２の上部に上部が開放された箱状の載置筺３を設け、該載置筺３の前扉１５を載置筺３の前部を遮蔽する垂直姿勢の起立位置１５ｘと載置筺の前部を開放する水平姿勢の倒伏位置１５ｙとに姿勢位置切り替え自在に構成し、倒伏位置１５ｙの前扉１５を下方から支える板状の引き出しテーブル１０を前記載置筺３の下方から水平方向に出没自在に設けたことを特徴とするもので、箱状の載置筺３に乳児を安心して寝かすことができると共に前扉１５を倒伏位置に開放して乳児の下着やおしめの交換などを効率的に遂行できる。その際には倒伏位置の前扉１５を引き出した状態の引き出しテーブル１０で支えているので安心である。そして、下部に引き出しボックス若しくは扉、或いは引き出し収納可能な椅子などを有する箱状の収納ボックスを備えているのでそれぞれの用途に応じて便利に使用することができる。【００２０】  そして、箱状の載置筺３は、両側面と後面は不透視の壁面とし、前扉１５のみ透視できる格子枠若しくは孔明き枠としたことを特徴とするもので、両側面と後面からなる壁の三面は遮蔽されており、前部のみ透視状態に開放されているので載置筺３に寝かしている乳児の安眠を誘導しやすい状態であり、前部の透視部で親子のふれあいを感じることができる安心感が期待できる。【００２１】  また、前扉１５は、前扉内側の両側に閉止方向の一方向の動きのみを許容するロック機構を設けてあることを特徴とするもので、前扉１５を倒伏位置から垂直位置に閉止するときには前扉１５がパチンとロック機構でロックされ、垂直位置から倒伏位置へ開放するときには両側のロック機構をそれぞれ意識的にロック解除操作する必要があるので、前扉が不測に開放する恐れがないので安心である。【００２２】  さらに、板状の引き出しテーブル１０は、載置筺３の前扉１５を載置筺の前部を遮蔽する垂直姿勢の起立位置１５ｘにした状態で単独的に水平方向に出没自在に構成され、テーブル１０を引き出した状態で作業台として利用できることを特徴とするもので、箱状の載置筺３に乳児を寝かした状態で、その目の前で引き出しテーブル１０を引き出して、作業台として読書をしたり、書き物をしたり、編み物、裁縫をしたり、或いは食事台にすることができる。【００２３】  さらには、箱状の収納ボックス２の上部を机の天板Ｔに構成して、該机天板Ｔの上部に箱状の載置筺３の前扉付き底板９を着脱自在に装着し、天板部Ｔの下方に引き出しテーブル１０を水平方向に出没自在に設けて、前扉付き底板９を取り外した時には天板部Ｔの上部平坦面が露出された机に構成できることを特徴とするもので、机天板Ｔの左右側部壁板５，６、背面部壁板７を残した形態で机に変換構成できるので落ち着いての各種作業が遂行できる。【００２４】このように本考案によれば、先ず上部の載置筺にはベビー布団などを入れて乳幼児を収容するようにするとベビーベッドとして使用することができる。そして、引き出しテーブルを引き出した状態で前扉を開放すると、前扉の開放を安定的に支持した状態で乳幼児の��服やおむつ交換などができる。そのときに下方の収納部に乳幼児の衣服やおむつなどを入れておくと、これらの作業が効率よく遂行できる。また、前扉を立てて閉止した状態で、引き出しテーブルを引き出した状態にしておくと、該引き出しテーブルが机としての機能を有することとなり、パソコン台、読書台、コーヒーやお茶飲み台などに使用することができて便利であり、乳幼児の傍でこれらの作業を安心して遂行することができるなどの利点がある。
【産業上の利用可能性】
【００２５】本考案は、上部の載置筺をベビーベッドとして使用した場合を例示して説明したが、玩具や書籍などの物品収納箱にしたり、装飾家具の載置台、テレビ置き台など、家具の載置台、物品収納箱などに使用することができる。
上部の載置筺の壁面は四周が透視できる格子にしても良い。
【符号の説明】
【００２６】１  載置筺付き収納ワゴン
２  収納ボックス
３  箱状の載置筺
４  キャスター
５  左側部壁板
６  右側部壁板
７  背面壁板部材
８  仕切天板
９  底板
１０  引き出しテーブル（スライド棚）
１１  開閉扉
１２  可動棚
１３  物品収納部
１４  箱状の引出し
１５  前扉
Ｓ  木製の椅子
Ｔ  机の天板
【図１】
0003162541.tif 000003
【図２】
0003162541.tif 000004
【図３】
0003162541.tif 000005
【図４】
0003162541.tif 000006
【図５】
0003162541.tif 000007
【図６】
0003162541.tif 000008
【図７】
0003162541.tif 000009
【図８】
0003162541.tif 000010
【図９】
0003162541.tif 000011
【図１０】
0003162541.tif 000012
【図１１】
0003162541.tif 000013
【図１２】
0003162541.tif 000014
【図１３】
0003162541.tif 000015
【図１４】
0003162541.tif 000016
【図１５】
0003162541.tif 000017
【図１６】
0003162541.tif 000018
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
下部に箱状の引き出し若しくは扉、或いは引き出し収納可能な椅子を択一的に選択して有する箱状の収納ボックスの上部に上部が開放された箱状の載置筺を設け、該載置筺の前扉を載置筺の前部を遮蔽する垂直姿勢の起立位置と載置筺の前部を開放する水平姿勢の倒伏位置とに姿勢位置切り替え自在に構成し、倒伏位置の前扉を下方から支える板状の引き出しテーブルを前記載置筺の下方から水平方向に出没自在に設けたことを特徴とする載置筺付き収納ワゴン。
【請求項２】
箱状の載置筺は、両側面と後面は不透視の壁面とし、前扉のみ透視できる格子枠若しくは孔明き枠としたことを特徴とする請求項１に記載の載置筺付き収納ワゴン。
【請求項３】
前扉は、前扉内側の両側に閉止方向の一方向の動きのみを許容するロック機構を設けてあることを特徴とする請求項１に記載の載置筺付き収納ワゴン。
【請求項４】
板状の引き出しテーブルは、載置筺の前扉を載置筺の前部を遮蔽する垂直姿勢の起立位置にした状態で単独的に水平方向に出没自在に構成され、引き出した状態で作業台として利用できることを特徴とする請求項１に記載の載置筺付き収納ワゴン。
【請求項５】
箱状の収納ボックスの上部を机の天板に構成して、該机の天板の上部に箱状の載置筺の前扉付き底板を着脱自在に装着し、机の天板の下方に引き出しテーブルを水平方向に出没自在に設けて、前扉付き底板を取り外した時には机の天板を露出して机に構成できることを特徴とする請求項１に記載の載置筺付き収納ワゴン。
【手続補正２】
【補正対象書類名】明細書
【補正対象項目名】０００５
【補正方法】変更
【補正の内容】
【０００５】  本考案は第一に、下部に箱状の引き出し若しくは扉、或いは引き出し収納可能な椅子を択一的に選択して有する箱状の収納ボックスの上部に上部が開放された箱状の載置筺を設け、該載置筺の前扉を載置筺の前部を遮蔽する垂直姿勢の起立位置と載置筺の前部を開放する水平姿勢の倒伏位置とに姿勢位置切り替え自在に構成し、倒伏位置の前扉を下方から支える板状の引き出しテーブルを前記載置筺の下方から水平方向に出没自在に設けたことを特徴とするもので、箱状の載置筺に乳児を安心して寝かすことができると共に前扉を倒伏位置に開放して乳児の下着やおしめの交換などを効率的に遂行できる。その際には倒伏位置の前扉を引き出した状態の引き出しテーブルで支えているので安心である。そして、下部に引き出しボックス若しくは扉、或いは引き出し収納可能な椅子などを有する箱状の収納ボックスを備えているのでそれぞれの用途に応じて便利に使用することができる。
【手続補正３】
【補正対象書類名】明細書
【補正対象項目名】０００９
【補正方法】変更
【補正の内容】
【０００９】  第五に、箱状の収納ボックスの上部を机の天板に構成して、該机の天板の上部に箱状の載置筺の前扉付き底板を着脱自在に装着し、机の天板の下方に引き出しテーブルを水平方向に出没自在に設けて、前扉付き底板を取り外した時には机の天板を露出して机に構成できることを特徴とするもので、机の天板の左右側部壁板、背面部壁板を残した形態で机に変換構成できるので落ち着いての各種作業が遂行できる。
【手続補正４】
【補正対象書類名】明細書
【補正対象項目名】００１０
【補正方法】変更
【補正の内容】
【００１０】  本考案は上記の構成より以下に記載する効果を奏する。
１）下部に収納ボックスを備え、上部に前扉が開放する箱状の載置筺を備えているので、載置筺に乳児を安心して寝かすことができると共に前扉を倒伏位置に開放して乳児の下着やおしめの交換などを効率的に遂行できる。その際には倒伏位置の前扉を引き出した状態の引き出しテーブルで支えているので安心である。そして、下部に箱状の引き出し若しくは扉、或いは引き出し収納可能な椅子を択一的に選択して有する箱状の収納ボックスを備えているのでそれぞれの用途に応じて便利に使用することができる。
２）載置筺の壁の三面は遮蔽されて前部のみ透視状態に開放されているので乳児の安眠を誘導しやすい状態であり、前部の透視部で親子のふれあいを感じることができる安心感が期待できる。
３）前扉の両側にロック機構を設けることにより、前扉を倒伏位置から垂直位置に閉止するときには前扉がパチンとロック機構でロックされ、垂直位置から倒伏位置へ開放するときには両側のロック機構をそれぞれ意識的にロック解除操作する必要があるので、前扉が不測に開放する恐れがないので安心である。
４）引き出しテーブルを単独操作できるので、箱状の載置筺に乳児を寝かした状態で、その目の前で引き出しテーブルを引き出して、作業台として読書をしたり、書き物をしたり、編み物、裁縫をしたりすることができる。
５）載置筺の底板と前扉を着脱できるので、机の天板の左右側部壁板、背面部壁板を残した形態で机に変換構成できるので落ち着いての各種作業が遂行できる。
【手続補正５】
【補正対象書類名】明細書
【補正対象項目名】００１５
【補正方法】変更
【補正の内容】
【００１５】  図９に示すものは、下部収納ボックス内部のレイアウトを変更し蓋部を片開きにした本考案の第２実施形態を示す載置筺付き収納ワゴンであり、基本的には第１実施形態のものと同様で、顧客の要望に応じて下部収納ボックスのレイアウトは択一的に選択して種々に変更可能であることを例示するものである。
【手続補正６】
【補正対象書類名】明細書
【補正対象項目名】００１７
【補正方法】変更
【補正の内容】
【００１７】  図１２、図１３は、上記第３実施形態の収納ワゴンの詳細を例示するものである。すなわち、箱状の収納ボックス２の最上部を平坦状に形成することで机の天板Ｔに構成して、該机の天板Ｔの上部に箱状の載置筺３の前扉１５付き底板９を着脱自在に装着し、机の天板Ｔの下方に引き出しテーブル１０を水平方向に出没自在に設けて、前扉１５付き底板９を取り外した時には机の天板を露出して机に構成できることを特徴とするもので、机の天板の左右側部壁板、背面部壁板を残した形態で机に変換構成できるので落ち着いての各種作業が遂行できるものである。
【手続補正７】
【補正対象書類名】図面
【補正対象項目名】図１６
【補正方法】変更
【補正の内容】
【図１６】
0003162541.tif 000019